(57)【要約】【課題】ブロック体内に断熱材からなる断熱層を側壁面に沿って形成した複数の断熱ブロックを積み重ね、断熱性の高い壁面部を形成し構造物を簡単に施工することができる、断熱ブロックによる構造物の施工方法及び断熱ブロック構造を提供する。【解決手段】コンクリート製のブロック体内で側壁面に沿って発泡プラスチック材等の断熱材からなる断熱層２を形成し、ブロック体の上端面と下端面に長手方向に沿う突起部８と凹溝部９を形成した複数の断熱ブロック１を、互いの突起部８と凹溝部９を嵌合させて上下に積み重ねたのち、上下の断熱ブロック１，１を連結具１０によって連結し構造物の壁面部を形成する。【選択図】        図７
2006002438.tif 000002
【特許請求の範囲】
【請求項１】
コンクリート製のブロック体内で側壁面に沿って発泡プラスチック材等の断熱材からなる断熱層（２）を形成し、ブロック体の上端面と下端面に長手方向に沿う突起部（８）と凹溝部（９）を形成した複数の断熱ブロック（１）を、互いの突起部（８）と凹溝部（９）を嵌合させて上下に積み重ねたのち、上下の断熱ブロック（１），（１）を連結具（６）によって連結し構造物の壁面部を形成する断熱ブロックによる構造物の施工方法。
【請求項２】
複数の断熱ブロック（１）を積み重ねて形成される直線状の壁面部を、断熱ブロック（１）と同様の断熱層（２）と突起部（８）と凹溝部（９）を有する曲面ブロック体（１ａ），（１ｂ），（１ｃ）を上下に積み重ねて形成される壁面部と接続し、一連の壁面部を形成する請求項１の断熱ブロックによる構造物の施工方法。
【請求項３】
断熱ブロック（１）の下端面をコンクリート製の床パネル（５）の周辺に形成した載置面（３０）に位置決め嵌合し、該断熱ブロック（１）の上端面に上段の断熱ブロック（１）を積み重ねて壁面部を形成する請求項１又は２の断熱ブロックによる構造物の施工方法。
【請求項４】
断熱ブロック（１）を積み重ねて形成される複数の壁面部の上部に断熱層（２）を備えた天井パネル（２８）を載置し、該天井パネル（２８）によって複数の壁面部を接続する請求項１又は２又は３の断熱ブロックによる構造物の施工方法。
【請求項５】
断熱ブロック（１）或いは曲面ブロック体（１ａ）等を積み重ねて形成される壁面部の上端面にアンカーボルト（２７）を突設し、上端面に載置した建築用の土台（６ａ）をアンカーボルト（２７）に挿入して固定する請求項１又は２又は３又は４の断熱ブロックによる構造物の施工方法。
【請求項６】
床パネル（５）又は断熱ブロック（１）又は他のブロック体に接続される土台基礎（５１）等の基礎部材（５７）を、地盤に穿設した穴（６２）内に挿入される蛇籠パイル（６０）によって支持する請求項１又は２又は３又は４又は５の断熱ブロックによる構造物の施工方法。
【請求項７】
積み重ねて構造物の壁面部を形成するコンクリート製のブロック体の上端面と下端面に、積み重ね嵌合用の突起部（８）と凹溝部（９）を形成すると共に、ブロック体の内部に側壁面に沿って発泡プラスチック材等の断熱材からなる断熱層（２）を形成した断熱ブロック構造。
【請求項８】
ブロック体内に設ける断熱層（２）を構造物の内側寄りに偏寄させて形成すると共に、断熱層（２）の外側寄りのブロック体内に連結ボルト（１０）を挿入させる連結孔（１１）を上下方向に形成した請求項７の断熱ブロック構造。
【請求項９】
ブロック体内に断熱層（２）を形成する断熱空間部（１４）の開口端の中途部に、断熱層（２）の両側の側壁を接続するブロック内連結部（１６）を設けた請求項７又は８の断熱ブロック構造。
【請求項１０】
ブロック体の上端部に、連結ボルト（１０）に締着すると共にアンカーボルト２７）を連結可能なロングナット（２１）を設置する取付穴（２５）を穿設した請求項７又は８又は９の断熱ブロック構造。
【発明の詳細な説明】
【技術分野】
【０００１】
本発明は、断熱部材からなる断熱層を形成した断熱ブロックによる構造物の施工方法及び断熱ブロック構造に関する。
【背景技術】
【０００２】
従来、プレキャスト成形によって、コンクリート製のブロック体内に通孔を形成し中空断熱層を備えた断熱ブロックは、特許文献１に示されるように既に公知である。
このブロック体はセメント材料を押出成型により、細長い数列の通孔を上下方向に形成した中空状の断熱層として製造される。またブロック体の長手方向の端部を切欠して階段状の切欠段部を形成し、互いの切欠段部を噛合させた状態で直交させて積層することにより、ブロック体による構造物の壁面部を一連に形成する構造になっている。
【特許文献１】特開昭５２−２６７１５号
【発明の開示】
【発明が解決しようとする課題】
【０００３】
上記文献１で示されるブロック体は、細長い通孔からなる中空状の断熱層になるので、ブロック体の軽量化を図れる利点はあるものの、細長いスペースの中空断熱層は内部の対流や通気によって断熱効率が低い欠点がある。また中空断熱層内での通気を防止し断熱効率を上げようとするとき、及び地下室等の建築の際に通孔内への地下水の侵入を防止しようとすると、通孔の両端開口部を全て機密に閉じ施工しなければならず、また施工時に気密不良を生じ易いので、壁面部の仕上げ施工が煩雑になる等の欠点がある。
【０００４】
また施工された建物等構造物の内側と外側に位置する内側面と外側面に連なるコンクリート断面部分が多くなるので、ブロック体自身の材質による熱伝導が大きくなること、及び通孔のみによる空間部で形成される断熱層の断熱不足によって、壁面部での結露が生じ易い欠点がある。一方、各ブロック体の積み重ね固定は、端部に形成した階段状の切欠段部を互いに噛合させ、各ブロック体に固定杆（ボルト等）を上下に貫通して固定されるため、該固定杆と中空断熱層との気密を保持する施工が煩雑になること、及び結露防止や地下水の侵入防止を必要とする地下室の建築が困難になる等の問題がある。
【課題を解決するための手段】
【０００５】
上記課題を解決するために本発明の断熱ブロックによる構造物の施工方法及び断熱ブロック構造は、第１に、コンクリート製のブロック体内で側壁面に沿って発泡プラスチック材等の断熱材からなる断熱層２を形成し、ブロック体の上端面と下端面に長手方向に沿う突起部８と凹溝部９を形成した複数の断熱ブロック１を、互いの突起部８と凹溝部９を嵌合させて上下に積み重ねたのち、上下の断熱ブロック１，１を連結具６によって連結し構造物の壁面部を形成することを特徴としている。
【０００６】
第２に、複数の断熱ブロック１を積み重ねて形成される直線状の壁面部を、断熱ブロック１と同様の断熱層２と突起部８と凹溝部９を有する曲面ブロック体１ａ，１ｂ，１ｃを上下に積み重ねて形成される壁面部と接続し、一連の壁面部を形成することを特徴としている。
【０００７】
第３に、断熱ブロック１の下端面をコンクリート製の床パネル５の周辺に形成した載置面３０に位置決め嵌合し、該断熱ブロック１の上端面に上段の断熱ブロック１を積み重ねて壁面部を形成することを特徴としている。
【０００８】
第４に、断熱ブロック１を積み重ねて形成される複数の壁面部の上部に断熱層２を備えた天井パネル２８を載置し、該天井パネル２８によって複数の壁面部を接続することを特徴としている。
【０００９】
第５に、断熱ブロック１或いは曲面ブロック体１ａ等を積み重ねて形成される壁面部の上端面にアンカーボルト２７を突設し、上端面に載置した建築用の土台６ａをアンカーボルト２７に挿入して固定することを特徴としている。
【００１０】
第６に、床パネル５又は断熱ブロック１又は他のブロック体に接続される土台基礎５１等の基礎部材５７を、地盤に穿設した穴６２内に挿入される蛇籠パイル６０によって支持することを特徴としている。
【００１１】
第７に、積み重ねて構造物の壁面部を形成するコンクリート製のブロック体の上端面と下端面に、積み重ね嵌合用の突起部８と凹溝部９を形成すると共に、ブロック体の内部に側壁面に沿って発泡プラスチック材等の断熱材からなる断熱層２を形成した断熱ブロックであることを特徴としている。
【００１２】
第８に、ブロック体内に設ける断熱層２を構造物の内側寄りに偏寄させて形成すると共に、断熱層２の外側寄りのブロック体内に連結ボルト１０を挿入させる連結孔１１を上下方向に形成したことを特徴としている。
【００１３】
第９に、ブロック体内に断熱層２を形成する断熱空間部１４の開口端の中途部に、断熱層２の両側の側壁を接続するブロック内連結部１６を設けたことを特徴としている。
【００１４】
第１０に、ブロック体の上端部に、連結ボルト１０に締着すると共にアンカーボルト２７を連結可能なロングナット２１を設置する取付穴２５を穿設したことを特徴としている。
【発明の効果】
【００１５】
以上のように本発明による断熱ブロックによる構造物の施工方法及び断熱ブロック構造は、ブロック体内に断熱材からなる断熱層を側壁面に沿って形成した複数の断熱ブロックを互いの突起部と凹溝部を嵌合させて上下に積み重ねたのち、連結具によって上下方向に連結するので、複数の断熱ブロックを積み重ねるだけで断熱性の高い壁面部を形成した構造物を簡単に施工することができる。
【００１６】
また断熱ブロックと同様の断熱層と突起部と凹溝部を有する曲面ブロック体を上下に積み重ねて形成される壁面部に、複数の断熱ブロックを積み重ねて形成される直線状の壁面部を接続するので一連の屈曲した壁面部を形成し断熱性の高い構造物を簡単に施工することができる。また曲面ブロック体によって壁面部のコーナー部の気密形成を簡単に行うことができる。
【００１７】
ブロック体内に側壁面に沿って断熱材からなる断熱層を形成した複数の断熱ブロックは、上端面と下端面の突起部と凹溝部を互いに嵌合させて積み重ね、連結具で上下方向に連結することができるから、断熱性を有する壁面部を簡単に構成することができる。また複数の断熱ブロックを積み重ね壁面部を接続するだけで、断熱性の高い構造物を簡単に施工することができる。
【００１８】
また断熱層をブロック体内で構造物の内側寄りに偏寄させることにより、構造物内の温度を外側に伝え難くし断熱効率を高めることができる。またブロック体の厚さ中心部に断熱層を避けて連結具の連結ボルトを通すことができるから、断熱ブロックを強固に連結し剛構造の壁面部を構成することができる。
【００１９】
またブロック体内に断熱層を形成する断熱空間部の開口端の中途部にブロック内連結部を設けることにより、断熱層の厚さ方向で両側壁を接続しブロックの強度を高めるので、ブロック体の内部に広い面積の断熱層を強度を維持して形成することができる。
そして、ブロック体の上部に形成された取付穴内で、連結ボルトに螺装したナットにアンカーボルトを連結することにより、アンカーボルトによって壁面部の上部に載置される建築物の土台或いは天井パネル等屋根構造物の固定を簡単に行うことができる。
【発明を実施するための最良の形態】
【００２０】
本発明の一実施形態を図面に基づいて説明する。図面において符号１はコンクリート製のブロック体に後述する断熱手段からなる断熱層２を形成した、平面視でＩ字状をなすストレートな断熱ブロックを示す。また上記断熱ブロック１と同様の断熱層２を有した別実施形態のブロック体として、平面視コ字状の曲面ブロック体１ａと、Ｔ字状の曲面ブロック体１ｂと、Ｌ字状の曲面ブロック体１ｃと、＋字状の曲面ブロック体１ｄ等が準備される。
【００２１】
これにより断熱ブロック１と、コ字状の曲面ブロック体１ａ又は曲面ブロック体１ｂ又は曲面ブロック体１ｃや曲面ブロック体１ｄ等を適宜選択し組み合わせることにより、図１で示されるような地下室型の部屋３を構成する。尚、各ブロック体を組み合わせて施工される構造物は、地下室型の部屋３に限られることなく地上の建築物や各種の工作物にすることができる。
【００２２】
図１で示す部屋３は、地下室形成が可能な大きさと深さに掘削された地中底部の地面に、６畳の間程度の部屋床面を形成する床パネル５を敷設し、該床パネル５の所定の各辺（４辺）に最下段の断熱ブロック１とコ字状の曲面ブロック体１ａを位置決め固定し、それぞれの上部に同様な断熱ブロック１と曲面ブロック体１ａを積み重ねて固定し、各周辺に立設する壁面部をそれぞれ立設して一連の壁面部を形成して構成される。
【００２３】
図示例の部屋３は、各壁面部の上部を家屋，事務所，物置等の建築物６を建築する基礎にすることが可能な、建物基礎兼用型の地下室にしている。
即ち、部屋３の各壁面部はその上部を地中から地表（ＧＬ線）に建物基礎高さを成すように露出させ、壁面部の最上段のブロック体の上端面に建築物６の土台６ａを載置固定することが可能な構成にしている。
【００２４】
尚、この部屋３への出入りは、建築物６内から設けた階段又は外部に設けた図示しない階段から行うことができる。外部の階段は上記部屋３に続き間として同様な手段によって設置される部屋に設けることができる。
【００２５】
先ず、断熱ブロック１の構造について図２，図５〜図９を参照し説明する。図示例の断熱ブロック１はコンクリート型枠加工（プレキャスト）によって、左壁側（外側面）と右壁側（内側面）が平行状の平坦面をなす方形状のブロック体で形成される。
この断熱ブロック１の上端面と下端面には、その厚さ方向の中央部に側面視で台形状又は半円弧状の突条をなす突起部８と、別の断熱ブロック１の上端面に形成される突起部８と嵌合せしめる凹溝９が形成される。
【００２６】
そして、断熱ブロック１の長手方向（巾方向）には、後述する連結ボルト１０を上下方向（高さ方向）に嵌挿させる複数の連結孔１１が、上記突起部８と凹溝９の略中央部を結ぶように穿設される。
また断熱ブロック１の両側端には、突起部８と凹溝９の側端を接続する位置に、該突起部８と同形状の側面突起部１２と側面凹溝１３が一体的に形成される。この側面突起部１２は別のブロック体即ち、曲面ブロック体１ａ等の両側端（接続端）に形成される側面凹溝１３に嵌合する。
【００２７】
図１で示す部屋３の壁面部は、平面視ストレート状の断熱ブロック体１と平面視コ字状の曲面ブロック体１ａを組み合わせ複数段に積み重ねて形成される。また両ブロック体は壁面部高さが２４００ミリ程度である場合に、略６００ミリ程度の高さと、略２３０ミリ程度の厚さに形成することが望ましく、各ブロック体の製作及び運搬，施工等を容易に行うことができ、また接続カ所をより少なくすることができる。
【００２８】
この実施形態で示される各ブロック体の断熱手段は、断熱層２をポリスチレンフォーム等の発泡プラスチック板材からなる断熱部材としブロック体の側壁面と略同じ面積になるように形成される。また断熱層２はコンクリート成形時に平坦な内側面に沿って、ブロック体内で建物の内側寄りに偏寄した位置に形成することが望ましい。即ち、ブロック体は厚さが２３０ミリ程度で、断熱層２の厚さが２０ミリ程度の場合、左右のコンクリート部の厚さは１５０ミリと６０ミリ程度にすることができる。
【００２９】
これにより厚い側のコンクリート部に突起部８と凹溝９等を噛合し易い大きさと強度を有して形成することができる。断熱板材２をブロック体内で建物の内側寄りに偏寄させることにより、構造物内の温度を薄い側のコンクリート部を介し断熱板材２で遮り外側に伝え難くして断熱効率を高める。またブロック体の厚さ中心部で断熱板材２を避けて連結具の連結ボルト１０を通すから、断熱層の気密を損なうことなく断熱ブロックを強固に連結し剛構造の壁面部を構成することができる。
【００３０】
また断熱層となる断熱板材２は、補強筋が施されたブロック型枠内の所定位置に予めセットされ、型枠内に充填供給されるコンクリートが断熱板材２を囲み埋設状態にして、各種のブロック体がプレキャスト製造される。
この際実施形態の断熱板材２は、その上辺部と下辺部或いは側辺部の必要カ所に方形状の切欠部を複数形成し、該切欠部を介し断熱板材２の厚さ方向のコンクリート流動を可能にしている。これにより断熱板材２の厚さに相当する断熱層形成用の断熱空間部１４は、その開口端の中途部を複数のブロック内連結部１６によって接続するので、側壁に沿って断熱板材２が埋設状に形成される断熱ブロック１を補強することができる。
【００３１】
また断熱ブロック１は断熱空間部１４の開口端の強度を有するので、断熱空間部１４の全体に広い面積の断熱板材２を十分なブロック体強度を有して簡単に製造することができる。尚、図７の点線で示す符号２ａは断熱部材からなる補強用の連結部材であり、断熱板材２の中途部に必要により貫通させて、両側に位置する内側と外側のコンクリート壁を連結補強する。
【００３２】
またブロック体内に断熱板材２を予めセットしない場合は、ブロック体内に断熱部材挿入用の断熱空間部１４を形成しておき、該空間部内に断熱板材２を別途挿入するか、断熱発泡剤を注入し発泡させることにより断熱層を形成することもできる。また上記断熱層はコンクリート成形型にブロック体ベースとなるコンクリートを流し入れる前又は後に、発泡粒子等の断熱板材を混入したコンクリートを入れて積層状に形成することもできる。
【００３３】
次ぎに、図２〜図５，図７〜図９を参照し、断熱ブロック１並びに曲面ブロック体１ａ，１ｂ，１ｃ等の上下方向の連結を行う連結手段について説明する。先ず最下段の断熱ブロック１と曲面ブロック体１ａは、その下端面を床パネル５の各周辺に沿って形成される接合部２０に嵌合状態で位置決めして載置される。次いで最下段の断熱ブロック１及び曲面ブロック体１ａの上端面に、上段の断熱ブロック１及び曲面ブロック体１ａが積み重ねられ、積み重ねた上段のブロック体に必要数のブロック体が順次積み重ねられることにより一連の壁面部が構成される。
【００３４】
このとき図７で示すように各断熱ブロック１は、連結孔１１が床パネル５側から立設される連結ボルト１０に挿入される。そして、最上段の断熱ブロック１に形成される取付穴２５内に突出する連結ボルト１０のネジ部にナット２１が螺挿され締め付けられることにより、積み重ねたブロック体の上下方向の連結固定が行われる。
【００３５】
上記ブロック体の連結構造において、図示例の連結具２２は地面基礎部にモルタル施工等によって固定されるＬ型チャンネル２３と、連結間隔を有して該Ｌ型チャンネル２３の裏側から頭部を接合して立設される連結ボルト１０と、該連結ボルト１０のネジ部に螺装されるナット１２等からなる。またナット２１が接当する最上段のブロック体には、ナット締着用の径大な取付穴２５が凹入形成される。この取付穴２５の底部にはナット２１に接当する座金２６が設置され、該座金２６はハ状に拡開した脚部をコンクリート内に埋設して補強支持される。
【００３６】
上記取付穴２５はロングタイプのナット２１が表面に突出しないで挿入される深さ形状で形成され、連結ボルト１０に螺装し締着されるナット２１の上部内に、上方からアンカーボルト（接続ボルト）２７を螺装し延長接続することができる。
接続されたアンカーボルト２７は、建築物６の土台６ａ或いは図６で示すような、部屋３の天井を閉鎖する蓋としての屋根構造部材（以下単に天井パネルと言う）２８が壁面部に載置されるとき、土台６ａ及び天井パネル２８又は任意な屋根構造部材に穿設された通孔に挿入した状態で、別の固定用のナット２１で締着固定することができる。
【００３７】
上記連結構造によれば、ロングナット２１を利用して必要カ所にアンカーボルト２７を接続することができるので、この分連結ボルト１０を予め長さを短くしておくことができ、ブロック体の積み重ね時に連結孔１１の挿入作業を簡単に行うことができる。尚、連結ボルト１０はその中途部に、図示しない別のボルト延長棒を溶接等の連結手段によって接続することにより、必要な長さに延長することができる。
【００３８】
また部屋３に天井パネル２８を設ける場合は、図６で示すように最上段の断熱ブロック１，曲面ブロック体１ａに、天井パネル２８の下面に形成した凹溝２９を嵌合させると、天井パネル２８によって一連の壁面部の補強支持をした状態にすることができ、次いで連結ボルト１０に固定用のナット２１を締着することにより、剛体構造の機密性の高い構造物にすることができる。
【００３９】
また上記構成によれば、例えば断熱ブロック１を積み重ねて形成される壁面部と曲面ブロック体１ａを積み重ねて形成される壁面部は、両者に挿入されるボルト１０，１０とアンカーボルト２７，２７が共に床パネル５と天井パネル２７或いは土台６ａによって連結されるから、両壁面部の接合を簡単に行うことができる。
また天井パネル２８で覆われる気密構造の部屋３は、地下室や地上設置型の断熱型倉庫にすることができる他、大型，小型の冷蔵庫や冷凍庫を簡単に構成することができる。
【００４０】
次ぎに図２〜図７を参照し、床パネル５について説明する。図７で示すように床パネル５は、外周となる各辺に前記断熱ブロック１と曲面ブロック体１ａの各ブロック体の厚さと略同巾の載置面３０が床表面から一段と低い位置に形成され、且つ載置面３０に各ブロック体の凹溝９に嵌合せしめる突起部３１が表面高さに形成される。
【００４１】
この構成により断熱ブロック１，曲面ブロック体１ａ等は、各載置面３０に嵌合状態で載置されるので、部屋３の輪郭線に沿って精度よく位置決めすることができ、剛構造を以て簡単に固定することができる。
また図３，図４で示されるように実施例の床パネル５は、左右の外側床パネル５ａ，５ａと中側床パネル５ｂ，５ｂとの複数に分割形成され、互いの接当面に形成した凹凸部を防水施工をしながら嵌合接続することにより、防水性に優れた平坦な床面を敷設構成することができる。
【００４２】
また各床パネル内には前記断熱ブロック１と同様な手段によって断熱層（断熱板材）２が形成され、該断熱層２の外側端は断熱ブロック１の断熱板材２の下方に一致する。
そして、各床パネルはその連結カ所で突起部３１の中心部に、前記複数の連結ボルト１０を挿通せしめる取付孔５ｄが穿設形成される。
【００４３】
また部屋３を構成する際の接当部の気密は、従来のものと同様に各ブロック体の隙間及び連結部に、シール部材やコーキング部材を埋め込んだり貼着する等のシール施工によって行われる。また地下室型或いは空調室型の部屋等には、結露防止機能を有する防水性塗料を壁面部の全体又は要部に塗布することが望ましい。さらに部屋３はその外側を防水シート，断熱シート等の幕体で覆った状態で施工することもできる。
【００４４】
以上のように構成される断熱ブロック１及び曲面ブロック体１ａ等からなる部屋３は、既述したものと同様な工法によって、地上設置型の建物にする場合でも低コストで短期間に建設することができる。また上記工法による部屋３は、山腹や丘陵地等に形成される横穴内への設置も容易に行うことができる。
また全壁面部の断熱性を高め地震等にも強い剛体構造の構造物にすることができるから、空調装置を付設する場合に、外気温の影響を軽減し空調効率の高い、利便性に優れた建物として広い分野で使用することができる。
【００４５】
さらに、この工法による構造物は各種の市場や施設に設置される、農水産物や食品等を保存する大型の保冷用建物、また建物の内外に備えられる比較的小型の冷蔵庫や保管庫等も廉価に構成することができ、また高断熱及び高気密の施工が可能でランニングコストも低減することができる。
また大きな強度を必要としない建物や冷蔵庫や保管庫等の場合には、各ブロック体を形成する材料を例えば、フライアッシュ，排棄プラスチック，排木材等の再生資源を利用してブロック体の断熱性を高めて製造することができる。
【００４６】
またブロック形成材料中にマイナスイオン，遠赤外線等を発生する鉱物や機能性素材を混入したり、ブロック体やパネル体の表面に、上記機能性素材を塗布又は紙や布類を介して貼着施工をすると、人に対して健康的で快適な空間を提供することができる。またマイナスイオン，遠赤外線等により収容物の鮮度維持や劣化防止等が可能になる。さらにウド，キニラ，モヤシ類，キノコ類その他作物を栽培する冷暗室、キノコ類の栽培室、その他農水産物の栽培養殖室等として好適化することができる。
この他本発明の施工方法及び断熱ブロック構造は、建築土木構造物の工作物として、例えばプールや防火水槽及び各種の液体を収容する大型容器に適用できる。
【００４７】
次ぎに図１１，図１２を参照し、本発明の工法により６畳の部屋３と８畳の部屋３とを、続き間として施工する応用例について説明する。尚、前記実施形態のものと同様な構成については説明を省略する。
図示例において、８畳用の曲面ブロック体１ａは前記６畳用のものと兼用され、８畳の部屋で使用する断熱ブロック１及び床パネル５等は８畳用の長さのものが使用される。
【００４８】
また６畳用の断熱ブロック１と８畳用の断熱ブロック１は、前記曲面ブロック体１ａの本体壁３４から両側に屈曲形成される接続壁３５と同様な接続構造及び工法によって、平面視Ｔ字型の曲面ブロック体１ｂ，１ｂの接続壁３５，３５に接続される。
また両部屋３，３の間に間仕切壁３６を設ける場合には、接続壁３５，３５に直交する接続壁３７，３７の接続端に間仕切壁３６を接続して構成する。
【００４９】
図示例の間仕切壁３６は、床パネル５に立設する左右のドア壁３９，３９に門型の上ドア壁４０を接合することにより、ドアを設置可能な出入口３ａを簡単に構成することができる。
以上のように断熱ブロック１を積み重ねて続き間となるように直線状に列設される壁面部は、曲面ブロック体１ｂの接続壁３５，３５に接続され、これに一体的に直交する接続壁３７によって、続き間の長い壁面部を補強支持することができる。
【００５０】
次ぎに、図１３，図１４を参照し本発明の応用実施形態について説明する。同図の建築物６は一般的な住宅の間取りの例を示すと共に、該間取りを自由に形成する壁面部を本発明の技術を利用した、断熱ブロック１と各種のパネルブロック等によって建築した例を示している。そして、間取りの一部の地下に６畳用の部屋３と８畳用の部屋３とを構成している。この地下室構造の部屋３，３は、それぞれ建築物６の６畳用の部屋と８畳用の部屋の基礎を兼用構成している。
【００５１】
また部屋３のコーナー部を構成する曲面ブロック体１ｃは、図１４で示すように接続壁３５の延長方向に接続基礎部５０を一体的に設けている。この接続基礎部５０は建築物６の布基礎となる土台基礎５１を組み合わせて接続することができる。
即ち、地下で直交する壁面部を形成する断熱ブロック１，１は、Ｌ形の曲面ブロック体１ｃによって接続され、曲面ブロック体１ｃの直交する接続壁３５，３５の延長方向には、基礎面の高さを面一にした接続基礎部５０が一体的に突出形成される。
【００５２】
そして、接続基礎部５０の側端には、予めプレキャスト加工によって製作される土台基礎５１に形成した接続部に合致する組合せ面が形成される。これにより部屋３を構成した状態の曲面ブロック体１ｃの接続基礎部５０に対し、土台基礎５１をその組合せ面を載せて連結することができ、両者の接続施工を簡単且つ能率よく行うことができる。
【００５３】
この接続施工によれば、プレキャスト加工されフィーチング部５２を有する土台基礎５１と接続基礎部５０は、天端面の面一仕上げを精度よく簡単に行うことができ、また天端面に土台６ａを載置する基礎構造が簡単となり、建築コストを低減することができる。
【００５４】
尚、図１４で示されるように曲面ブロック体１ｃは、複数の断熱ブロック１を上下に接続して形成される壁面部と同じ高さで製作した一つのブロック体にすることもできる。
また基礎構造になる部屋３及び土台基礎５１上に構成される建築物６は、従来工法による木造建物の他に、図１３で示す断熱ブロック１や各種のパネルブロック等を用いたコンクリート製の壁面構造の建築物に好適化することができる。
【００５５】
即ち、図示例の建築物６のように、木造建築物の柱部分とその両側の壁面部を兼ね備えた部屋高さを有する曲面ブロック体１ｂ，１ｃと、種々の大きさと形状に形成された断熱ブロック１とを接続することにより、在来の木造住宅と同様な間取り及び使用形態を得ることが可能なコンクリート製住宅、並びに車庫等の付属的建物を簡単且つ廉価に短期間で建築することができる。
【００５６】
また上記の建築方法によれば、曲面ブロック体１ａ，１ｂ，１ｃを立設し且つ互いを連結するだけで、部屋コーナー部の柱と壁を同時的に形成することができ、またブロック体の積み重ねによって大壁状の壁面部を形成できるので、在来の柱，壁加工や軸組作業等を大巾に省力化することができる等の特徴がある。
【００５７】
次ぎに、図１５，図１６を参照し本発明の別実施形態について説明する。図示例の部屋３は、長さを異にしたストレート状のブロック体からなる各種の断熱ブロック１を種別に積み重ねて各壁面部を形成すると共に、相隣る断熱ブロック１を以下のような連結手段によって接続し建築される。
【００５８】
即ち、図１６で示されるように既述のものと同様に断熱層２及び突起部８，凹溝９等を有する各断熱ブロック１は、ブロック体内の内側寄り上部に埋設した連結ボルト１０のネジ部を上方に向けて突設すると共に、内側寄りの下部に別の断熱ブロック１に突設される連結ボルト１０を挿入する通孔５５を穿設し、該通孔５５に通ずるナット掛け用の窓状の操作穴５６を室内側となる内側面に穿設している。
【００５９】
床パネル５は突起部３１の内側寄りに上記断熱ブロック１の通孔５５に挿入せしめる連結ボルト１０を連結間隔を有し複数立設している。
この構成により床パネル５に対し最下段の断熱ブロック１を突起部３１と連結ボルト１０を介して位置決め載置し、この断熱ブロック１に突起部８と連結ボルト１０を介し上段の断熱ブロック１を順次積み重ね、次いで操作穴５６を介しナット２１を挿入し連結ボルト１０に締着して剛構造の壁面部を形成する。
【００６０】
また断熱ブロック１と断熱ブロック１の両側の接続は、上記のものと同様な構成からなる横方向の連結ボルト１０にナット２１を締着することによって行うことができる。また連結ボルト１０はブロック体内に埋設した連結手段の他に、図６の点線で示すように一方のブロック体（床パネル５）から、他方のブロック体（断熱ブロック１）に抜き差し自在に挿入される連結ボルト１０を利用することができる。
【００６１】
この連結手段は図１５で示されるように、壁面部を形成する断熱ブロック１の端部に、他方の壁面部を形成する断熱ブロック１の内側面を突き合わせて接続する場合に、該断熱ブロック１の外側から連結ボルト１０を挿入することによって行われる。
尚、図示例の断熱ブロック１は、ブロック体内に下方から凹入形成した断熱空間部１４内に断熱板材２を設けた構造にしている。
【００６２】
以上のように、予め規格化しプレキャスト製造された形状と大きさの個々の断熱ブロック１は、短い連結ボルト１０によって接続することができ、またナット２１の締着を室内側から行うので、ブロック体の積み重ね及び接続作業を簡単にすることができる。
また組立てられた各ブロック体は解体工事も組立ての逆順を追って殆どネジ具類を弛めるだけの簡単な作業で行なうことができ、建物解体に伴うブロック体の損傷を防止することができるから、分解したブロック体の再使用が可能になる。
【００６３】
次に図１７〜図２０に示す、床パネル５又は各ブロック体或いは前記土台基礎５１等（以下単に基礎部材５７と言う）を支持する摩擦パイル工法について説明する。
この支持工法は図１７で示す穴あけ作業と、図１８で示す蛇籠パイル６０の挿入作業と、図１９で示す蛇籠パイル６０に基礎部材５７を設置する基礎設置作業と、図２０で示す蛇籠パイル６０或いは基礎部材５７に土の埋め戻し等を行う仕上げ作業等からなる。
【００６４】
即ち、この工法による穴あけ作業は、建柱車或いは移動作業機等が備えるアースドリル６１によって、所定の径と深さの穴６２が地盤に穿設される。この際に穿設される穴６２の位置と深さ及び本数等は、地盤の硬軟並びに基礎部材５７の重量，形状等の条件に基づいて定められる。また穴６２には必要により、セメントミル又は消石灰液等の硬化剤６３が注入される。この硬化剤６３は蛇籠パイル６０内に侵入し骨材等を固定し、また穴６２の内周の土と密着し摩擦支持力をより高めることができる。
【００６５】
パイル挿入作業は、穴６２の径と深さに適応させ基礎部材５７を支持可能に形成された蛇籠パイル６０を挿入側から穴６２内に挿入する。このとき蛇籠パイル６０の天端は基礎部材５７の支持位置に合わせ押圧調整することが望ましい。また支持位置の浮陸調整はモルタル等の天端の水平を調節する調整モルタル６４を供給し、仕上げ施工をすることによって行う。また深い穴６２に対しては、複数の蛇籠パイル６０を準備しこれを選択し挿入することにより、支持長さを調整することが望ましい。
【００６６】
上記蛇籠パイル６０は、予め所定の大きさと形状を以て形成された金網又は合成樹脂製のネット状筒体からなる籠内に、栗石又は瓦やコンクリート等の廃材その他の骨材等を収容し、通常は円柱形状で製作される。尚、蛇籠パイル６０の断面形状は、穴６２内への挿入抵抗の少ない三角形及び多角形にすることができる。また径大な穴６２に対しては径小の蛇籠パイル６０を複数挿入して充填することができる。
【００６７】
次いで基礎設置作業は、天端が整えられた蛇籠パイル６０に基礎部材５７を運搬載置することによって行われる。このとき基礎部材５７のベース部５２を地表より下位にする場合は、図１９で示すようにベース部５２の設置地面を掘削して設置する。また基礎部材５７の浮陸調整は点在する蛇籠パイル６０の頭部に対してのみ行えばよいから、基礎設置作業を簡単且つ速やかに行うことができる。
【００６８】
仕上げ作業は図２０で示すように、掘削した土を埋め戻して蛇籠パイル６０及び基礎部材５７の基部を覆い地均しをして一連の作業が完了される。
以上のように蛇籠パイル式の摩擦パイル工法によれば、基礎部材５７の支持カ所に蛇籠パイル６０を点在的に施工するだけで、十分な支持力を簡単に得ることができ、また沈下を防止し耐震性も上げることができる。
【００６９】
従って、在来工法による現場打ちコンクリート基礎作業のように、基礎部材５７のベース下部の全体に栗石やコンクリート等を敢えて敷設施工をする必要がないので、一連の作業を省力化し廉価に行うことができる。
【００７０】
また在来の杭支柱等を圧入する簡易摩擦パイル打ち込み以上の摩擦係数を簡単に得ることができるから、埋め立て直後や軟弱地盤の場所において高支持力を発揮し地盤改良工事等にも有効利用することができる。この際にも摩擦パイル工法は打ち込み時の大きな振動や騒音を伴わないものであると共に、高い地下水位の場所でも地下水に支障されることのない作業をスムーズに行うことができる等の特徴がある。
【図面の簡単な説明】
【００７１】
【図１】本発明の断熱ブロックによって建築された建物の構成を示す斜視図である。
【図２】図１の部屋の形状を示す平面図である。
【図３】図１，図２で使用される床パネルの斜視図である。
【図４】図３の正面図である。
【図５】図１の部屋の要部の構成を示す側断面図である。
【図６】図５の別実施形態の構成を示す側断面図である。
【図７】床パネルの上に複数のブロック体を積み重ねて壁面部を構成した断面図である。
【図８】断熱ブロック及び曲面ブロック体を積み重ねた状態を一部破断をして示す側面図である。
【図９】図８の壁面部のＡ−Ａ線平面図である。
【図１０】（Ａ）は曲面ブロック体の一例を示す正面図である。（Ｂ）は（Ａ）の平面図である。
【図１１】本発明の断熱ブロックによって建築された建物の続き間の部屋を示す平面図である。
【図１２】図１１の間仕切壁の構成を示す斜視図である。
【図１３】本発明の断熱ブロックによって建築される部屋を家屋等の建築物に施工した例を示す斜視図である。
【図１４】図１の建物の別実施形態を示す斜視図である。
【図１５】本発明の別実施形態に係わるブロック体によって建築された建物を一部破断をして示す斜視図である。
【図１６】図１５の床パネルと断熱ブロックの構成を示す側断面図である。
【図１７】基礎部材を支持する摩擦パイル工法の穴あけ作業を示す正面図である。
【図１８】摩擦パイル工法の蛇籠パイルの挿入作業を示す正面図である。
【図１９】摩擦パイル工法の基礎部材を設置する基礎設置作業を示す正面図である。
【図２０】摩擦パイル工法の仕上げ作業を示す正面図である。
【符号の説明】
【００７２】
１    断熱ブロック（ブロック体）
１ａ，１ｂ，１ｃ  曲面ブロック体（ブロック体）
２    断熱層（断熱板材）
３    部屋
５    床パネル
６    建築物
６ａ  土台
８    突起部
９    凹溝部
１０  連結ボルト
１１  連結孔
１４  断熱空間部
１６  ブロック内連結部
２１  ナット（ロングナット）
２５  取付穴
２７  アンカーボルト
２８  天井パネル
３０  載置面
６０  蛇籠パイル
６２  穴
【図１】
2006002438.tif 000003
【図２】
2006002438.tif 000004
【図３】
2006002438.tif 000005
【図４】
2006002438.tif 000006
【図５】
2006002438.tif 000007
【図６】
2006002438.tif 000008
【図７】
2006002438.tif 000009
【図８】
2006002438.tif 000010
【図９】
2006002438.tif 000011
【図１０】
2006002438.tif 000012
【図１１】
2006002438.tif 000013
【図１２】
2006002438.tif 000014
【図１３】
2006002438.tif 000015
【図１４】
2006002438.tif 000016
【図１５】
2006002438.tif 000017
【図１６】
2006002438.tif 000018
【図１７】
2006002438.tif 000019
【図１８】
2006002438.tif 000020
【図１９】
2006002438.tif 000021
【図２０】
2006002438.tif 000022
【手続補正書】
【提出日】平成17年7月19日(2005.7.19)
【手続補正１】
【補正対象書類名】特許請求の範囲
【補正対象項目名】請求項１
【補正方法】変更
【補正の内容】
【請求項１】
コンクリート製のブロック体内で側壁面に沿って発泡プラスチック材等の断熱材からなる断熱層（２）を形成し、ブロック体の上端面と下端面に長手方向に沿う突起部（８）と凹溝部（９）を形成した複数の断熱ブロック（１）を、互いの突起部（８）と凹溝部（９）を嵌合させて上下に積み重ねたのち、上下の断熱ブロック（１），（１）を連結具（１０）によって連結し構造物の壁面部を形成する断熱ブロックによる構造物の施工方法。
【手続補正２】
【補正対象書類名】明細書
【補正対象項目名】０００５
【補正方法】変更
【補正の内容】
【０００５】
上記課題を解決するために本発明の断熱ブロックによる構造物の施工方法及び断熱ブロック構造は、第１に、コンクリート製のブロック体内で側壁面に沿って発泡プラスチック材等の断熱材からなる断熱層２を形成し、ブロック体の上端面と下端面に長手方向に沿う突起部８と凹溝部９を形成した複数の断熱ブロック１を、互いの突起部８と凹溝部９を嵌合させて上下に積み重ねたのち、上下の断熱ブロック１，１を連結具１０によって連結し構造物の壁面部を形成することを特徴としている。